(57)【要約】【課題】安全に使用できる複合容器を提供する。【解決手段】収容部１４を囲むようにしてフランジ１５が形成され、フランジ１５の一部が平面視で略直線状の２つの側辺２１，２１を構成する複数の個別容器１１を、２つの側辺２１，２１の合点が中心部１３に位置するように配置されるとともに、隣接する個別容器１１どおしが、側辺２１にて分離可能に連結されて一体となった複合容器１０において、２つの側辺２１，２１の、合点と反対側の端部どおしを結ぶように平面視で略円弧状の外縁辺２２を備え、外縁辺２２と２つの側辺２１，２１とがそれぞれ連結点２３にて連続する複合容器１０であって、外縁辺２２の、連結点２３近傍における接線Ｌ１と側辺２１とのなす角αが鈍角である。【選択図】図４
2012224357.tif 000002
【特許請求の範囲】
【請求項１】
収容部を囲むようにしてフランジが形成され、該フランジの一部が平面視で略直線状の２つの側辺を構成する複数の個別容器を、前記２つの側辺の合点が中心部に位置するように配置されるとともに、前記隣接する個別容器どおしが、前記側辺にて分離可能に連結されて一体となった複合容器において、
前記２つの側辺の、前記合点と反対側の端部どおしを結ぶように平面視で略円弧状の外縁辺を備え、該外縁辺と前記２つの側辺とがそれぞれ連結点にて連続する複合容器であって、
前記外縁辺の、前記連結点近傍における接線と前記側辺とのなす角が鈍角であることを特徴とする、複合容器。
【請求項２】
前記フランジの側辺の近傍に、側面視で凹状の側辺溝が複数形成されることを特徴とする、請求項１に記載の複合容器。
【請求項３】
前記２つの側辺の合点近傍のフランジに、前記２つの側辺を連結するように中心溝が形成されることを特徴とする、請求項１に記載の複合容器。
【請求項４】
前記フランジの外縁辺の近傍に、側面視で凹状の外縁溝が複数形成されることを特徴とする、請求項１に記載の複合容器。
【請求項５】
収容部を囲むようにしてフランジが形成され、該フランジの一部が平面視で略直線状の隣接する２つの側辺を有する複数の個別容器を、前記２つの側辺の合点が中心部に位置するように配置されるとともに、前記隣接する個別容器どおしが、前記側辺にて分離可能に連結されて一体となった複合容器において、
前記側辺の、前記合点と反対側の端部に連続して略直線状の複数の外縁辺を備え、
前記外縁辺と前記側辺とのなす角が鈍角であるとともに、前記複数の外縁辺どおしのなす角が鈍角であることを特徴とする、複合容器。
【請求項６】
前記フランジの側辺の近傍に、側面視で凹状の側辺溝が複数形成されることを特徴とする、請求項５に記載の複合容器。
【請求項７】
前記２つの側辺の合点近傍のフランジに、前記２つの側辺を連結するように中心溝が形成されることを特徴とする、請求項５に記載の複合容器。
【請求項８】
前記フランジの外縁辺の近傍に、側面視で凹状の外縁溝が複数形成されることを特徴とする、請求項５に記載の複合容器。
【発明の詳細な説明】
【技術分野】
【０００１】
本発明は、収容部を囲むようにしてフランジが形成され、フランジの一部が平面視で略直線状の２つの側辺を構成する複数の個別容器を、２つの側辺の合点が中心部に位置するように配置されるとともに、隣接する個別容器どおしが、側辺にて分離可能に連結されて一体となった複合容器に関する。
【背景技術】
【０００２】
従来の複合容器は、例えば、食品を収容する収容部を備える個別容器を、４つ分離可能に連結して備える。それぞれの個別容器は、収容部を囲むようにしてフランジを備え、フランジの一部が平面視で略直線状の２つの側辺を構成する。そして、２つの側辺の合点は略直角であり、この合点が複合容器の中心部に位置するように４つの個別容器を配置している。個別容器に備える２つの側辺の他端はそれぞれ、略直角に接する直線状の外縁辺とそれぞれ連結されている。
【先行技術文献】
【特許文献】
【０００３】
【特許文献１】特開２００８-８１１２６号公報
【発明の概要】
【発明が解決しようとする課題】
【０００４】
しかし、このような複合容器では、個別容器を１つ分離した場合、分離された個別容器のフランジに鋭角または直角の角部が少なくとも３箇所形成され、消費者が個別容器から食品を取り出そうとする際に、誤って、フランジで手を切ってしまう恐れがあった。そこでこの発明の目的は、安全に使用できる複合容器を提供することにある。
【課題を解決するための手段】
【０００５】
このため請求項１に記載の発明は、収容部を囲むようにしてフランジが形成され、該フランジの一部が平面視で略直線状の２つの側辺を構成する複数の個別容器を、前記２つの側辺の合点が中心部に位置するように配置されるとともに、前記隣接する個別容器どおしが、前記側辺にて分離可能に連結されて一体となった複合容器において、
前記２つの側辺の、前記合点と反対側の端部どおしを結ぶように平面視で略円弧状の外縁辺を備え、該外縁辺と前記２つの側辺とがそれぞれ連結点にて連続する複合容器であって、
前記外縁辺の、前記連結点近傍における接線と前記側辺とのなす角が鈍角であることを特徴とする。
【０００６】
請求項２に記載の発明は、請求項１に記載の複合容器において、前記フランジの側辺の近傍に、側面視で凹状の側辺溝が複数形成されることを特徴とする。
【０００７】
請求項３に記載の発明は、請求項１に記載の複合容器において、前記２つの側辺の合点近傍のフランジに、前記２つの側辺を連結するように中心溝が形成されることを特徴とする。
【０００８】
請求項４に記載の発明は、請求項１に記載の複合容器において、前記フランジの外縁辺の近傍に、側面視で凹状の外縁溝が複数形成されることを特徴とする。
【０００９】
請求項５に記載の発明は、収容部を囲むようにしてフランジが形成され、該フランジの一部が平面視で略直線状の隣接する２つの側辺を有する複数の個別容器を、前記２つの側辺の合点が中心部に位置するように配置されるとともに、前記隣接する個別容器どおしが、前記側辺にて分離可能に連結されて一体となった複合容器において、
前記側辺の、前記合点と反対側の端部に連続して略直線状の複数の外縁辺を備え、
前記外縁辺と前記側辺とのなす角が鈍角であるとともに、前記複数の外縁辺どおしのなす角が鈍角であることを特徴とする。
【００１０】
請求項６に記載の発明は、請求項５に記載の複合容器において、前記フランジの側辺の近傍に、側面視で凹状の側辺溝が複数形成されることを特徴とする。
【００１１】
請求項７に記載の発明は、請求項５に記載の複合容器において、前記２つの側辺の合点近傍のフランジに、前記２つの側辺を連結するように中心溝が形成されることを特徴とする。
【００１２】
請求項８に記載の発明は、請求項５に記載の複合容器において、前記フランジの外縁辺の近傍に、側面視で凹状の外縁溝が複数形成されることを特徴とする。
【発明の効果】
【００１３】
請求項１に記載の発明によれば、収容部を囲むようにしてフランジが形成され、該フランジの一部が平面視で略直線状の２つの側辺を構成する複数の個別容器を、前記２つの側辺の合点が中心部に位置するように配置されるとともに、前記隣接する個別容器どおしが、前記側辺にて分離可能に連結されて一体となった複合容器において、前記２つの側辺の、前記合点と反対側の端部どおしを結ぶように平面視で略円弧状の外縁辺を備え、該外縁辺と前記２つの側辺とがそれぞれ連結点にて連続する複合容器であって、前記外縁辺の、前記連結点近傍における接線と前記側辺とのなす角が鈍角である。
【００１４】
したがって、個別容器を１つ分離した場合、分離された個別容器のフランジに鈍角の角部が形成され、たとえば、消費者が個別容器の収容部から食品などを取り出そうとする際に、誤って、フランジで手を切ってしまうことを防止することができる。したがって、安全に使用できる複合容器を提供することを可能にする。
【００１５】
請求項２に記載の発明によれば、前記フランジの側辺の近傍に、側面視で凹状の側辺溝が複数形成されるので、消費者が個別容器の収容部から食品などを取り出そうとする際に、誤って、フランジで手を切ってしまうことを防止することができる。したがって、いっそう安全に使用できる複合容器を提供することを可能にする。
【００１６】
請求項３に記載の発明によれば、前記２つの側辺の合点近傍のフランジに、前記２つの側辺を連結するように中心溝が形成されるので、合点近傍のフランジが溝に沿って撓みやすくなる。これによって、消費者が個別容器の収容部から食品などを取り出そうとする際に、誤って、合点近傍のフランジに手が触れてもフランジが撓み、フランジで手を切ってしまうことを防止することができる。したがって、いっそう安全に使用できる複合容器を提供することを可能にする。
【００１７】
請求項４に記載の発明によれば、フランジの外縁辺の近傍に、側面視で凹状の外縁溝が複数形成されるので、消費者が個別容器の収容部から食品などを取り出そうとする際に、誤って、フランジで手を切ってしまうことを防止することができる。したがって、いっそう安全に使用できる複合容器を提供することを可能にする。
【００１８】
請求項５に記載の発明によれば、収容部を囲むようにしてフランジが形成され、該フランジの一部が平面視で略直線状の隣接する２つの側辺を有する複数の個別容器を、前記２つの側辺の合点が中心部に位置するように配置されるとともに、前記隣接する個別容器どおしが、前記側辺にて分離可能に連結されて一体となった複合容器において、
前記側辺の、前記合点と反対側の端部に連続して略直線状の複数の外縁辺を備え、
前記外縁辺と前記側辺とのなす角が鈍角であるとともに、前記複数の外縁辺どおしのなす角が鈍角である。
【００１９】
したがって、個別容器を１つ分離した場合、分離された個別容器のフランジに鈍角の角部が形成され、たとえば、消費者が個別容器の収容部から食品などを取り出そうとする際に、誤って、フランジで手を切ってしまうことを防止することができる。したがって、安全に使用できる複合容器を提供することを可能にする。
【００２０】
請求項６に記載の発明によれば、前記フランジの側辺の近傍に、側面視で凹状の側辺溝が複数形成されるので、消費者が個別容器の収容部から食品などを取り出そうとする際に、誤って、フランジで手を切ってしまうことを防止することができる。したがって、いっそう安全に使用できる複合容器を提供することを可能にする。
【００２１】
請求項７に記載の発明によれば、前記２つの側辺の合点近傍のフランジに、前記２つの側辺を連結するように中心溝が形成されるので、合点近傍のフランジが溝に沿って撓みやすくなる。これによって、消費者が個別容器の収容部から食品などを取り出そうとする際に、誤って、合点近傍のフランジに手が触れてもフランジが撓み、フランジで手を切ってしまうことを防止することができる。したがって、いっそう安全に使用できる複合容器を提供することを可能にする。
【００２２】
請求項８に記載の発明によれば、フランジの外縁辺の近傍に、側面視で凹状の外縁溝が複数形成されるので、消費者が個別容器の収容部から食品などを取り出そうとする際に、誤って、フランジで手を切ってしまうことを防止することができる。したがって、いっそう安全に使用できる複合容器を提供することを可能にする。
【図面の簡単な説明】
【００２３】
【図１】この発明の複合容器の一例を示す斜視図である。
【図２】その平面図である。
【図３】図２のＡ矢視断面図である。
【図４】図１の複合容器に備える個別容器の平面図である。
【図５】（ａ），（ｂ）はその側面図、（ｃ）は２つの側辺の合点近傍のフランジの平面図、（ｄ）は（ｃ）のＸ矢視断面図である。
【図６】この発明の複合容器の第２例を示す図であり、（ａ），（ｂ）はその側面図である。
【図７】この発明の複合容器の第３例を示す図であり、（ａ），（ｂ）はその側面図である。
【図８】この発明の複合容器の第４例を示す、（ａ）は平面図、（ｂ）は（ａ）の一部拡大図である。
【図９】この発明の複合容器の第５例を示す、（ａ）は平面図、（ｂ）は（ａ）の一部拡大図である。
【発明を実施するための形態】
【００２４】
以下、図面を参照しつつ、本発明の実施の形態について説明する。図１〜３にはこの発明の一例の複合容器１を示す。複合容器１０は、熱可塑性樹脂（たとえば、ＰＥＴなどのポリエステル系樹脂、ポリプロピレン、ポリエチレン等のポリオレフィン系樹脂など）のシート材で形成される。熱可塑性樹脂に加えてガスバリアー層などを積層させたシート材を用いてもよい。複合容器１０は、食品などを収容する収容部１４と、その収容部１４を囲むように形成されたフランジ１５を有する個別容器１１を４つ備えてなり、その４つの個別容器１１がそれぞれ中心部１３に対して対称となるように配置されている。隣接する個別容器１１，１１の間にはフランジ１５が形成され、このフランジ１５の略中心に沿って２本のミシン目１２，１２が形成されている（なお、ミシン目１２の切断部分と連結部分との長さの比は適宜設定する）。
【００２５】
２本のミシン目１２，１２は複合容器１０の中心部１６で略直角に交差している。中心部１３は円柱状の凹溝で、その中心部１３と同心円状に中心溝１７を形成する。それぞれの個別容器１１の、中心部１３側には指掛部１８が形成されている。指掛部１８は、食品などの収容物Ｆを収容部１４から取り出すことを容易にするためのものであり、主に人差し指を挿入して、収容物Ｆをつかみやすくするためのものである。
【００２６】
隣接する個別容器１１，１１の間には、凹部２０が形成される。この凹部２０は、フランジ１５が中心部１３に向かって入り込むようにして形成される。
【００２７】
なお、複合容器１０から個別容器１１を一つ取り外すときは、ミシン目１２に沿って個別容器１１を１つ分離する。
【００２８】
図４，５（ａ），（ｂ）には、分離された１つの個別容器１１を示す。個別容器１１は、収容部１４を囲むようにしてフランジ１５が形成され、フランジ１５の一部が平面視で略直線状の２つの側辺２１，２１を構成する。この２つの側辺２１，２１の合点が中心部１３の略中心に位置する。また、この側辺２１は、破断した後のミシン目１２に相当するものである。言い換えると、隣接する個別容器１１，１１をミシン目１２を破断することで分離すると、破断されたミシン目１２が側辺２１となる。
【００２９】
２つの側辺２１，２１の合点と反対側の端部どおしを結ぶように平面視で略円弧状の外縁辺２２を備え、外縁辺２２と２つの側辺２１，２１とがそれぞれ連結点２３，２３にて連続する。また、外縁辺２２の、連結点２３近傍における接線Ｌ１と側辺２１とのなす角αは鈍角である。なす角αを鈍角とすること（鋭角としないこと）で、連結点２３に形成される角で使用者が手指などケガすることを低減することができる。
【００３０】
フランジ１５のうち、側辺２１の形成されている部分には、複数の凹状の側辺溝２４が形成されている。この側辺溝２４は、側辺２１に略直行する方向に形成されている。側辺溝２４は側面視でＵ字状に形成される。複数の側辺溝２４を側辺２１に形成することにより、側辺２１の縁で誤って手を切ることを防止することができる。なお、側辺２１の形成されている部分のフランジ１５は、一定高さではなく、適宜、波状にうねっている。また、側辺溝２４どうしの間隔は必ずしも一定である必要はない。なお、符号２５は、外縁辺２２に形成された外縁溝であり、これを複数施すことによって、外縁辺２２で手指を切るといったケガをすることを低減することができる。
【００３１】
図５（ｃ），（ｄ）に示すように、２つの側辺２１，２１の合点付近のフランジ１５には中心部１３および中心溝１７の略１／４が備えられている。中心溝１７があることで、この箇所のフランジ１５が図５（ｄ）において中心溝１７を支点として矢印方向に撓みやすくなる。このため、この箇所のフランジ１５に使用者の指などが当たっても、フランジ１５が下向きに撓むことから、指などを切るケガを防止することができる。なお、中央部１３の底面の肉厚は、他の部分に比べて薄くなるように形成されている。このため、フランジ１５の２つの側辺２１，２１が略直角に合わさって形成された先端部１５Ａは、他の部分に比べて柔軟であり、たとえ、手指などが先端部１５Ａにあたっても撓みやすく、ケガを防止することができる。
【００３２】
なお、図６（ａ），（ｂ）に示すように、側面視でＶ字状の側辺溝２４´をフランジ１５に形成するようにしてもよいし（符号２１´は側辺、符号１１´は個別容器）、図７（ａ），（ｂ）に示すように、側面視で四角状の側辺溝２４´´をフランジ１５に形成するようにしてもよい（符号２１´´は側辺、符号１１´´は個別容器）。その他の構成は、前述の例と同様である。
【００３３】
上述の例では、収容部１４が４つある複合容器１０について説明したが、この発明はこれに限定されるものではなく、例えば、図８に示すように、収容部１１４が６つある複合容器１１０であってもよい。各収容部１１４の周囲にはフランジ１１５を備える。隣接する収容部１１４の間に位置するフランジ１１５にはそれぞれ、ミシン目１１２を形成する。３本のミシン目１１２は複合容器１１０の中心付近で交差する。この交差部には、円柱状の凹部である中央部１１３を形成する。中央部１１３と同心円状に中心溝１１７を形成する。
【００３４】
ミシン目１１２の形成されているフランジ１１５部分には、ミシン目１１２と略直交するように側辺溝１２４を複数備える（側辺溝１２４の間隔は適宜設定する）。この側辺溝１２４は、前の例の側辺溝２４と同様に、側辺溝２４´、側辺溝２４´´などのバリエーションを取りうるものとする。また、隣接する個別容器１１１，１１１の間には、凹部１２０が形成される。この凹部１２０は、フランジ１１５が中心部１１３に向かって入り込むようにして形成される。
【００３５】
側辺１２１と外縁辺１２２とは連結点１２３にて連続する。また、外縁辺１２２の、連結点１２３近傍における接線Ｌ２と側辺１２１とのなす角βは鈍角である。なす角βを鈍角とすること（鋭角としないこと）で、連結点１２３に形成される角で使用者が手指などケガすることを低減することができる。
【００３６】
図９（ａ），（ｂ）にはこの発明の別の例を示す。この例では、図１〜５までの例と比べて、フランジ２１５の端部の形状を変更した点のみが異なる。この例の複合容器２１０は、収容部１４を囲むようにしてフランジ２１５が形成され、フランジ２１５の一部が平面視で略直線状の隣接する２つの側辺２２１，２２１を有する４つの個別容器２１１を、２つの側辺２２１，２２１の合点が中心部１３に位置するように配置されるとともに、隣接する個別容器２１１どおしが、側辺２２１にて分離可能に連結されて一体となっている。側辺２２１の、合点と反対側の端部に連続して略直線状の外縁辺２２２を備え、角部２２３とする。角部２２３における外縁辺２２２と側辺２２１とのなす角βは鈍角である。また、外縁辺２２２どおしの交点によって形成される角部２２８における、外縁辺２２２どおしのなす角βも鈍角である。フランジ２１５の外縁辺２２２近傍には複数の外縁溝２５を連続して備える。この外縁溝２５を施すことによって、外縁辺２２２で手指を切るといったケガをすることを低減することができる。なお、符号２２０は凹部、符号２１２はミシン目である。
【符号の説明】
【００３７】
１０，１１０，２１０  複合容器
１１，１１１，２１１  個別容器
１３，１１３  中心部
１４，１１４  収容部
１５，１１５，２１５  フランジ
１７，１１７  中心溝
２４，２４´，２４´´，１２４  側辺溝
２５  外縁溝
Ｌ１  接線
【図１】
2012224357.tif 000003
【図２】
2012224357.tif 000004
【図３】
2012224357.tif 000005
【図４】
2012224357.tif 000006
【図５】
2012224357.tif 000007
【図６】
2012224357.tif 000008
【図７】
2012224357.tif 000009
【図８】
2012224357.tif 000010
【図９】
2012224357.tif 000011